(57)【特許請求の範囲】
【請求項１】
一方向に延在するように並設された複数の共通駆動電極と、
画素信号および表示駆動信号に基づいて表示を行う表示素子と、
タッチ検出駆動信号に基づいて外部近接物体を検出するタッチ検出素子と、
前記表示駆動信号を前記複数の共通駆動電極に時分割的に順次印加する第１の走査駆動と、前記第１の走査駆動と異なる走査速度を有し、前記タッチ検出駆動信号を前記複数の共通駆動電極に時分割的に順次印加する第２の走査駆動とを行う走査駆動部と
を備え、
前記走査駆動部は、前記第１の走査駆動において、前記画素信号が印加される表示素子を駆動する共通駆動電極および少なくともその片側に隣接する共通駆動電極に対して同じ前記表示駆動信号を同時に印加することにより、前記第１および第２の走査駆動において、前記共通駆動電極を複数本単位で駆動し、
前記画素信号が印加されていない表示素子であっても当該表示素子を駆動する共通駆動電極には前記表示駆動信号が印加される
タッチ検出機能付き表示装置。
【請求項２】
前記走査駆動部は、前記第１の走査駆動の対象となる共通駆動電極と前記第２の走査駆動の対象となる共通駆動電極とが重なる場合には、前記表示駆動信号をその重複する共通駆動電極に印加する
請求項１に記載のタッチ検出機能付き表示装置。
【請求項３】
前記表示素子は液晶表示素子である
請求項２に記載のタッチ検出機能付き表示装置。
【請求項４】
前記タッチ検出素子は、外部近接物体の近接もしくは接触に基づく静電容量の変化を利用してその外部近接物体を検出する
請求項２に記載のタッチ検出機能付き表示装置。
【請求項５】
一方向に延在するように並設された複数の共通駆動電極と、画素信号および表示駆動信号に基づいて表示を行う表示素子と、タッチ検出駆動信号に基づいて外部近接物体を検出するタッチ検出素子とを備えたタッチ検出機能付き表示部に対して、前記表示駆動信号を前記複数の共通駆動電極に時分割的に順次印加する第１の走査駆動と、前記第１の走査駆動と異なる走査速度を有し、前記タッチ検出駆動信号を前記複数の共通駆動電極に時分割的に順次印加する第２の走査駆動とを行う走査駆動部を備え、
前記走査駆動部は、前記第１の走査駆動において、前記画素信号が印加される表示素子を駆動する共通駆動電極および少なくともその片側に隣接する共通駆動電極に対して同じ前記表示駆動信号を同時に印加することにより、前記第１および第２の走査駆動において、前記共通駆動電極を複数本単位で駆動し、
前記画素信号が印加されていない表示素子であっても当該表示素子を駆動する共通駆動電極には前記表示駆動信号が印加される
駆動回路。
【請求項６】
一方向に延在するように並設された複数の共通駆動電極に表示駆動信号を時分割的に複数本単位で順次印加するとともに、前記表示駆動信号の印加に同期してその表示駆動信号の印加下にある共通駆動電極に対応した画素電極に画素信号を印加する動作を時分割的に順次行うことにより、前記画素信号および前記表示駆動信号に基づく表示を行う第１の走査駆動動作と、
前記第１の走査駆動動作において、前記画素信号が印加される表示素子を駆動する共通駆動電極および少なくともその片側に隣接する共通駆動電極に対して同じ前記表示駆動信号を同時に印加し、外部近接物体検出用のタッチ検出駆動信号を、前記複数の共通駆動電極に、前記第１の走査駆動動作とは異なる走査速度で時分割的に複数本単位で順次印加する第２の走査駆動動作とを行い、
前記画素信号が印加されていない表示素子であっても当該表示素子を駆動する共通駆動電極には前記表示駆動信号が印加される
タッチ検出機能付き表示装置の駆動方法。
【請求項７】
タッチ検出機能付き表示装置と、
前記タッチ検出機能付き表示装置を利用した動作制御を行う制御部と
を備え、
前記タッチ検出機能付き表示装置は、
一方向に延在するように並設された複数の共通駆動電極と、
画素信号および表示駆動信号に基づいて表示を行う表示素子と、
タッチ検出駆動信号に基づいて外部近接物体を検出するタッチ検出素子と、
前記表示駆動信号を前記複数の共通駆動電極に時分割的に順次印加する第１の走査駆動と、前記第１の走査駆動と異なる走査速度を有し、前記タッチ検出駆動信号を前記複数の共通駆動電極に時分割的に順次印加する第２の走査駆動とを行う走査駆動部と
を有し、
前記走査駆動部は、前記第１の走査駆動において、前記画素信号が印加される表示素子を駆動する共通駆動電極および少なくともその片側に隣接する共通駆動電極に対して同じ前記表示駆動信号を同時に印加することにより、前記第１および第２の走査駆動において、前記共通駆動電極を複数本単位で駆動し、
前記画素信号が印加されていない表示素子であっても当該表示素子を駆動する共通駆動電極には前記表示駆動信号が印加される
電子機器。
【発明の詳細な説明】
【技術分野】
【０００１】
本発明は、外部近接物体を検出するタッチ検出機能を内蔵した表示装置、そのような表示装置の駆動回路および駆動方法、ならびにそれらを備えた電子機器に関する。
【背景技術】
【０００２】
近年、指等の外部近接物体を検出するタッチ検出機能を液晶表示装置等の表示装置に搭載し、その表示装置に各種のボタン画像等を表示させることにより、通常の機械式ボタンの代わりとして情報入力を可能とした表示装置が注目されている。このようなタッチ検出機能を有する表示装置は、キーボードやマウス、キーパッドのような入力装置を必要としないため、コンピュータのほか、携帯電話のような携帯情報端末などでも、使用が拡大する傾向にある。
【０００３】
タッチ検出方式にはいくつかの方式が存在するが、その一つとして静電容量式がある。例えば、特許文献１には、表示装置にもともと備えられている表示用の共通電極を、一対のタッチセンサ用電極のうちの一方として兼用し、他方の電極（タッチ検出電極）をこの共通電極と交差するように配置した表示装置が提案されている。この共通電極とタッチ検出電極との間には静電容量が形成され、外部近接物体に応じてその静電容量が変化する。この表示装置は、これを利用して、共通電極にタッチ検出用の駆動信号を印加したときにタッチ検出電極に現れるタッチ検出信号を解析することにより、外部近接物体を検出するようになっている。この表示装置では、共通電極に駆動信号を順次印加し、線順次走査を行うことにより表示動作が行われるとともに、その駆動信号に応じてタッチ検出電極に現れるタッチ検出信号を解析することによりタッチ検出動作が行われる。
【先行技術文献】
【特許文献】
【０００４】
【特許文献１】特開２００９−２５８１８２号公報
【発明の概要】
【発明が解決しようとする課題】
【０００５】
ところで、タッチ検出機能を搭載した表示装置は、タッチ検出機能を搭載しないものに比べて、回路面積が大きくなってしまう。すなわち、タッチ検出機能を搭載した表示装置は、表示動作用の駆動回路に加え、タッチ検出動作用の駆動回路を配置する必要があり、その分だけ回路の占有面積が増大し、装置が大きくなってしまうおそれがある。
【０００６】
本発明はかかる問題点に鑑みてなされたもので、その目的は、回路の占有面積を低減し装置の小型化を図ることができるタッチ検出機能付き表示装置、駆動回路、タッチ検出機能付き表示装置の駆動方法、および電子機器を提供することにある。
【課題を解決するための手段】
【０００７】
本発明のタッチ検出機能付き表示装置は、複数の共通駆動電極と、表示素子と、タッチ検出素子と、走査駆動部とを備えている。複数の共通駆動電極は、一方向に延在するように並設されたものである。表示素子は、画素信号および表示駆動信号に基づいて表示を行うものである。タッチ検出素子は、タッチ検出駆動信号に基づいて外部近接物体を検出するものである。走査駆動部は、表示駆動信号を複数の共通駆動電極に時分割的に順次印加する第１の走査駆動と、第１の走査駆動と異なる走査速度を有し、タッチ検出駆動信号を複数の共通駆動電極に時分割的に順次印加する第２の走査駆動とを行うものである。上記走査駆動部は、第１および第２の走査駆動において、共通駆動電極を複数本単位で駆動するものである。
【０００８】
本発明の駆動回路は、走査駆動部を備えている。走査駆動部は、一方向に延在するように並設された複数の共通駆動電極と、画素信号および表示駆動信号に基づいて表示を行う表示素子と、タッチ検出駆動信号に基づいて外部近接物体を検出するタッチ検出素子とを備えたタッチ検出機能付き表示部に対して、表示駆動信号を複数の共通駆動電極に時分割的に順次印加する第１の走査駆動と、第１の走査駆動と異なる走査速度を有し、タッチ検出駆動信号を複数の共通駆動電極に時分割的に順次印加する第２の走査駆動とを行うものである。上記走査駆動部は、第１および第２の走査駆動において、共通駆動電極を複数本単位で駆動するものである。
【０００９】
本発明のタッチ検出機能付き表示装置の駆動方法は、一方向に延在するように並設された複数の共通駆動電極に表示駆動信号を時分割的に複数本単位で順次印加するとともに、表示駆動信号の印加に同期してその表示駆動信号の印加下にある共通駆動電極に対応した画素電極に画素信号を印加する動作を時分割的に順次行うことにより、画素信号および表示駆動信号に基づく表示を行う第１の走査駆動動作と、外部近接物体検出用のタッチ検出駆動信号を、複数の共通駆動電極に、第１の走査駆動動作とは異なる走査速度で時分割的に複数本単位で順次印加する第２の走査駆動動作とを行うものである。
【００１０】
本発明の電子機器は、上記タッチ検出機能付き表示装置を備えたものであり、例えば、テレビジョン装置、デジタルカメラ、パーソナルコンピュータ、ビデオカメラあるいは携帯電話等の携帯端末装置などが該当する。
【００１１】
本発明のタッチ検出機能付き表示装置、駆動回路、タッチ検出機能付き表示装置の駆動方法、および電子機器では、共通駆動電極に対して、表示動作の際には、第１の走査駆動として表示駆動信号が順次印加され、タッチ検出動作の際には、第２の走査駆動として、タッチ検出駆動信号が順次印加される。その際、前記第１の走査駆動において、前記画素信号が印加される表示素子を駆動する共通駆動電極および少なくともその片側に隣接する共通駆動電極に対して同じ前記表示駆動信号を同時に印加することにより、共通駆動電極は、複数本単位で駆動される。
【００１２】
本発明のタッチ検出機能付き表示装置では、例えば、走査駆動部は、第１の走査駆動の対象となる共通駆動電極と第２の走査駆動の対象となる共通駆動電極とが重なる場合には、表示駆動信号をその重複する共通駆動電極に印加するのが望ましい。さらに、例えば、走査駆動部は、第１の走査駆動において、画素信号が印加される表示素子を駆動する共通駆動電極および少なくともその片側に隣接する共通駆動電極に対して同じ表示駆動信号を同時に印加するのが望ましい。
【００１３】
表示素子は、例えば、液晶表示素子が使用可能である。また、タッチ検出素子は、例えば、外部近接物体の近接もしくは接触に基づく静電容量の変化を利用してその外部近接物体を検出するものであってもよい。
【発明の効果】
【００１４】
本発明のタッチ検出機能付き表示装置、駆動回路、タッチ検出機能付き表示装置の駆動方法および電子機器によれば、共通駆動電極を複数本単位で駆動するようにしたので、回路の占有面積を低減し、装置の小型化を図ることができる。
【図面の簡単な説明】
【００１５】
【図１】本発明のタッチ検出機能付き表示装置におけるタッチ検出方式の基本原理を説明するための図であり、指が接触または近接していない状態を表す図である。
【図２】本発明のタッチ検出機能付き表示装置におけるタッチ検出方式の基本原理を説明するための図であり、指が接触または近接した状態を表す図である。
【図３】本発明のタッチ検出機能付き表示装置におけるタッチ検出方式の基本原理を説明するための図であり、駆動信号およびタッチ検出信号の波形の一例を表す図である。
【図４】本発明の実施の形態に係るタッチ検出機能付き表示装置の一構成例を表すブロック図である。
【図５】第１の実施の形態に係るタッチ検出機能付き表示デバイスの概略断面構造を表す断面図である。
【図６】第１の実施の形態に係るタッチ検出機能付き表示デバイスの画素配列を表す回路図である。
【図７】第１の実施の形態に係るタッチ検出機能付き表示デバイスの駆動電極およびタッチ検出電極の一構成例を表す斜視図である。
【図８】第１の実施の形態に係る走査駆動部の一構成例を表すブロック図である。
【図９】第１の実施の形態に係る走査駆動部の一動作例を表すタイミング波形図である。
【図１０】第１の実施の形態に係るタッチ検出機能付き表示装置の一動作例を表す模式図である。
【図１１】第１の実施の形態の比較例に係る走査駆動部の一構成例を表すブロック図である。
【図１２】第１の実施の形態の変形例に係る走査駆動部の一構成例を表すブロック図である。
【図１３】第１の実施の形態の変形例に係る走査駆動部の一動作例を表すタイミング波形図である。
【図１４】第２の実施の形態に係る走査駆動部の一構成例を表すブロック図である。
【図１５】第２の実施の形態に係る走査駆動部の一動作例を表すタイミング波形図である。
【図１６】第２の実施の形態に係る走査駆動部の動作を説明するための走査駆動部の一構成例を表すブロック図である。
【図１７】図１６に示した走査駆動部の一動作例を表すタイミング波形図である。
【図１８】実施の形態に係るタッチ検出機能付き表示デバイスの寄生容量の一例を説明するための回路図である。
【図１９】第３の実施の形態に係る走査駆動部の一構成例を表すブロック図である。
【図２０】第３の実施の形態に係る走査駆動部の一動作例を表すタイミング波形図である。
【図２１】実施の形態を適用したタッチ検出機能付き表示装置のうち、適用例１の外観構成を表す斜視図である。
【図２２】適用例２の外観構成を表す斜視図である。
【図２３】適用例３の外観構成を表す斜視図である。
【図２４】適用例４の外観構成を表す斜視図である。
【図２５】適用例５の外観構成を表す正面図、側面図、上面図および下面図である。
【図２６】各実施の形態の変形例に係るタッチ検出機能付き表示デバイスの概略断面構造を表す断面図である。
【図２７】各実施の形態の変形例にかかわるタッチ検出機能付き表示装置の一動作例を表す模式図である。
【発明を実施するための形態】
【００１６】
以下、本発明の実施の形態について、図面を参照して詳細に説明する。なお、説明は以下の順序で行う。
１．静電容量式タッチ検出の基本原理
２．第１の実施の形態
３．第２の実施の形態
４．第３の実施の形態
５．適用例
【００１７】
＜１．静電容量型タッチ検出の基本原理＞
まず最初に、図１〜図３を参照して、本発明のタッチ検出機能付き表示装置におけるタッチ検出の基本原理について説明する。このタッチ検出方式は、静電容量型のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出部）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。なお、この交流矩形波Ｓｇは、後述するタッチ検出駆動信号Ｖcomtに相当するものである。
【００１８】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１９】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。
【００２０】
＜２．第１の実施の形態＞
［構成例］
（全体構成例）
図４は、本発明の第１の実施の形態に係るタッチ検出機能付き表示装置の一構成例を表すものである。尚、本発明の実施の形態に係る駆動回路およびタッチ検出機能付き表示装置の駆動方法は、本実施の形態により具現化されるので、併せて説明する。このタッチ検出機能付き表示装置は、表示素子として液晶表示素子を用いており、その液晶表示素子により構成される液晶表示デバイスと静電容量型のタッチ検出デバイスとを一体化した、いわゆるインセルタイプの装置である。
【００２１】
タッチ検出機能付き表示装置１は、制御部１１と、ゲートドライバ１２と、ソースドライバ１３と、駆動電極ドライバ１４と、タッチ検出機能付き表示デバイス１０と、タッチ検出部４０とを備えている。
【００２２】
制御部１１は、外部より供給された映像信号Ｖdispに基づいて、ゲートドライバ１２、ソースドライバ１３、駆動電極ドライバ１４、およびタッチ検出部４０に対してそれぞれ制御信号を供給し、これらがお互いに同期して動作するように制御するものである。
【００２３】
ゲートドライバ１２は、制御部１１から供給される制御信号に基づいて、タッチ検出機能付き表示デバイス１０の表示駆動の対象となる１水平ラインを順次選択する機能を有している。具体的には、ゲートドライバ１２は、後述するように、走査信号Ｖscanを、走査信号線ＧＣＬを介して、画素ＰixのＴＦＴ素子Ｔｒのゲートに印加することにより、タッチ検出機能付き表示デバイス１０の液晶表示デバイス２０にマトリックス状に形成されている画素Ｐixのうちの１行（１水平ライン）を表示駆動の対象として順次選択するようになっている。
【００２４】
ソースドライバ１３は、制御部１１から供給される制御信号に基づいて、タッチ検出機能付き表示デバイス１０の各画素Ｐix（後述）に画素信号Ｖpixを供給するものである。具体的には、ソースドライバ１３は、後述するように、画素信号Ｖpixを、画素信号線ＳＧＬを介して、ゲートドライバ１２により順次選択される１水平ラインを構成する各画素Ｐixにそれぞれ供給するようになっている。
【００２５】
駆動電極ドライバ１４は、制御部１１から供給される制御信号に基づいて、タッチ検出機能付き表示デバイス１０の駆動電極ＣＯＭＬ（後述）に駆動信号Ｖcomを供給するものである。具体的には、駆動電極ドライバ１４は、駆動電極ＣＯＭＬに対して、表示動作の為の表示駆動信号Ｖcomdを時分割的に順次印加するとともに、タッチ検出動作のためのタッチ検出駆動信号Ｖcomtを時分割的に順次印加する。その際、駆動電極ドライバ１４は、駆動電極ＣＯＭＬを複数本単位（この例では２本単位）で駆動するようになっている。
【００２６】
ゲートドライバ１３および駆動電極ドライバ１４は、走査駆動部５０を構成する。走査駆動部５０の構成については、後ほど詳細に説明する。
【００２７】
タッチ検出機能付き表示デバイス１０は、タッチ検出機能を内蔵した表示デバイスである。タッチ検出機能付き表示デバイス１０は、液晶表示デバイス２０と、タッチ検出デバイス３０とを有する。液晶表示デバイス２０は、ゲートドライバ１２から供給される走査信号Ｖscanおよび駆動電極ドライバ１４から供給される表示駆動信号Ｖcomdに従って、１水平ラインずつ順次走査して表示を行うデバイスである。タッチ検出デバイス３０は、上述した静電容量型タッチ検出の基本原理に基づいて動作するものであり、駆動電極ドライバ１４から供給されるタッチ検出駆動信号Ｖcomtに基づいて、タッチ検出信号Ｖdetを出力するものである。
【００２８】
タッチ検出部４０は、制御部１１から供給される制御信号と、タッチ検出機能付き表示デバイス１０のタッチ検出デバイス３０から供給されたタッチ検出信号Ｖdetに基づいて、タッチ検出デバイス３０に対するタッチの有無を検出し、タッチがある場合においてタッチ検出領域におけるその座標などを求める回路である。このタッチ検出部４０はアナログＬＰＦ（Ｌｏｗ  Ｐａｓｓ  Ｆｉｌｔｅｒ）部４２と、Ａ／Ｄ変換部４３と、信号処理部４４と、座標抽出部４５と、検出タイミング制御部４６とを有している。アナログＬＰＦ部４２は、タッチ検出デバイス３０から供給されるタッチ検出信号Ｖdetに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。Ａ／Ｄ変換部４３は、アナログＬＰＦ部４２から出力されるアナログ信号をそれぞれデジタル信号に変換する回路である。信号処理部４４は、Ａ／Ｄ変換部４３の出力信号に基づいて、タッチ検出デバイス３０におけるタッチの有無を検出する論理回路である。座標抽出部４５は、信号処理部４４においてタッチ検出がなされたときに、そのタッチパネル座標を求める論理回路である。検出タイミング制御部４６は、これらの回路が同期して動作するように制御するようになっている。
【００２９】
（タッチ検出機能付き表示デバイス１０）
次に、タッチ検出機能付き表示デバイス１０の構成例を詳細に説明する。
【００３０】
図５は、タッチ検出機能付き表示デバイス１０の要部断面構造の例を表すものである。このタッチ検出機能付き表示デバイス１０は、画素基板２と、この画素基板２に対向して配置された対向基板３と、画素基板２と対向基板３との間に挿設された液晶層６とを備えている。
【００３１】
画素基板２は、回路基板としてのＴＦＴ基板２１と、このＴＦＴ基板２１上にマトリックス状に配設された複数の画素電極２２とを有する。ＴＦＴ基板２１には、図示していないものの、各画素の薄膜トランジスタ（ＴＦＴ；Thin Film Transistor）や、各画素電極２２に画像信号Ｖpixを供給する画素信号線ＳＧＬ、各ＴＦＴを駆動する走査信号線ＧＣＬ等の配線が形成されている。
【００３２】
対向基板３は、ガラス基板３１と、このガラス基板３１の一方の面に形成されたカラーフィルタ３２と、このカラーフィルタ３２の上に形成された複数の駆動電極ＣＯＭＬとを有する。カラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。駆動電極ＣＯＭＬは、液晶表示デバイス２０の共通駆動電極として機能するとともに、タッチ検出デバイス３０の駆動電極としても機能するものである。駆動電極ＣＯＭＬは、図示しないコンタクト導電柱によって画素基板２と連結され、このコンタクト導電柱を介して、画素基板２から駆動電極ＣＯＭＬに交流矩形波形の駆動信号Ｖcom（表示駆動信号Ｖcomdおよびタッチ検出駆動信号Ｖcomt）が印加されるようになっている。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００３３】
液晶層６は、電界の状態に応じてそこを通過する光を変調するものであり、例えば、ＴＮ（ツイステッドネマティック）、ＶＡ（垂直配向）、ＥＣＢ（電界制御複屈折）等の各種モードの液晶が用いられる。
【００３４】
なお、液晶層６と画素基板２との間、および液晶層６と対向基板３との間には、それぞれ配向膜が配設され、また、画素基板２の下面側には入射側偏光板が配置されるが、ここでは図示を省略している。
【００３５】
図６は、液晶表示デバイス２０における画素構造の構成例を表すものである。液晶表示デバイス２０は、マトリックス状に配列した複数の画素Ｐixを有している。画素Ｐixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３６】
画素Ｐixは、走査信号線ＧＣＬにより、液晶表示デバイス２０の同じ行に属する他の画素Ｐixと互いに接続されている。走査信号線ＧＣＬは、ゲートドライバ１２と接続され、ゲートドライバ１２より走査信号Ｖscanが供給されるようになっている。画素Ｐixは、画素信号線ＳＧＬにより、液晶表示デバイス２０の同じ列に属する他の画素Ｐixと互いに接続されている。画素信号線ＳＧＬは、ソースドライバ１３と接続され、ソースドライバ１３より画素信号Ｖpixが供給されるようになっている。
【００３７】
さらに、画素Ｐixは、駆動電極ＣＯＭＬにより、液晶表示デバイス２０の同じ行に属する他の画素Ｐixと互いに接続されている。駆動電極ＣＯＭＬは、駆動電極ドライバ１４と接続され、駆動電極ドライバ１４より駆動信号Ｖcomが供給されるようになっている。
【００３８】
この構成により、液晶表示デバイス２０では、ゲートドライバ１２が走査信号線ＧＣＬを時分割的に線順次走査するように駆動することにより、１水平ラインが順次選択され、その１水平ラインに属する画素Ｐixに対して、ソースドライバ１３が画素信号Ｖpixを供給することにより、１水平ラインずつ表示が行われるようになっている。
【００３９】
図７は、タッチ検出デバイス３０の一構成例を斜視的に表すものである。タッチ検出デバイス３０は、対向基板３に設けられた、駆動電極ＣＯＭＬおよびタッチ検出電極ＴＤＬにより構成されている。駆動電極ＣＯＭＬは、図の左右方向に延在する複数（Ｎ本）のストライプ状の電極パターンに分割されている。タッチ検出動作を行う際は、各電極パターンには、駆動電極ドライバ１４によってタッチ検出駆動信号Ｖcomtが順次供給され、走査駆動が行われるようになっている。タッチ検出電極ＴＤＬは、駆動電極ＣＯＭＬの電極パターンの延在方向と直交する方向に延びるストライプ状の電極パターンから構成されている。タッチ検出電極ＴＤＬの各電極パターンは、タッチ検出部４０のアナログＬＰＦ部４２の入力にそれぞれ接続されている。駆動電極ＣＯＭＬとタッチ検出電極ＴＤＬにより互いに交差した電極パターンは、その交差部分に静電容量を形成している。
【００４０】
この構成により、タッチ検出デバイス３０では、タッチ検出動作を行う際、駆動電極ドライバ１４が駆動電極ＣＯＭＬを時分割的に順次走査するように駆動し、タッチ検出電極ＴＤＬからタッチ検出信号Ｖdetを出力することにより、タッチ検出が行われるようになっている。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図７に示したように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００４１】
次に、ゲートドライバ１２および駆動電極ドライバ１４により構成される走査駆動部５０の構成例を詳細に説明する。
【００４２】
（走査駆動部５０）
図８は、走査駆動部５０の一構成例を表すものである。走査駆動部５０は、表示走査部５１と、タッチ検出走査部５２と、駆動部５３０とを備えている。表示走査部５１と、駆動部５３０の一部はゲートドライバ１２を構成している。また、タッチ検出走査部５２と、駆動部５３０の一部は駆動電極ドライバ１４を構成している。駆動部５３０は、Ｎ／２個の駆動部５３(１)〜５３(Ｎ／２)から構成されている。以後、Ｎ／２個の駆動部５３(１)〜５３(Ｎ／２)のうちの任意の一つをさす場合には、単に駆動部５３を用いるものとする。
【００４３】
表示走査部５１は、シフトレジスタを含んで構成され、走査信号Ｖscanを順次印加する走査信号線ＧＣＬを選択するための信号Ｓｄを生成するものである。また、この信号Ｓｄは、表示駆動信号Ｖcomdを順次印加する駆動電極ＣＯＭＬを選択するためにも用いられるようになっている。具体的には、後述するように、表示走査部５１が高レベルの信号をｎ番目の信号Ｓｄ(n)としてｎ番目の駆動部５３(n)に供給したときに、この駆動部５３(n)は、ｎ行目の走査信号線ＧＣＬに対して走査信号Ｖscan(n)を印加するととともに、ｎ行目および（ｎ＋１）行目の駆動電極ＣＯＭＬ(n)，ＣＯＭＬ(n+1)の両方に対して、表示駆動信号Ｖcomdを印加するようになっている。すなわち、表示走査部５１は、高レベルの信号Ｓｄを出力することにより、駆動部５３０に対して表示駆動を指示するようになっている。
【００４４】
タッチ検出走査部５２は、シフトレジスタを含んで構成され、タッチ検出駆動信号Ｖcomtを順次印加する駆動電極ＣＯＭＬを選択するための信号Ｓｔを生成するものである。具体的には、後述するように、タッチ検出走査部５２が高レベルの信号をｍ番目の信号Ｓｔ(m)として駆動部５３(n)に供給したときに、この駆動部５３(n)は、ｎ行目および（ｎ＋１）行目の駆動電極ＣＯＭＬ(n)，ＣＯＭＬ(n+1)の両方に対して、タッチ検出駆動信号Ｖcomtを印加するようになっている。すなわち、タッチ検出走査部５２は、高レベルの信号Ｓｔを出力することにより、駆動部５３０に対してタッチ検出駆動を指示するようになっている。
【００４５】
駆動部５３０は、表示走査部５１から供給された２つの信号Ｓｄおよびタッチ検出走査部５２から供給された信号Ｓｔに基づいて、走査信号Ｖscanを走査信号線ＧＣＬに印加するとともに、駆動信号Ｖcomを２本の駆動電極ＣＯＭＬに印加するものである。具体的には、駆動部５３(n)は、表示走査部５１から供給された信号Ｓｄ(n) に基づいて、ｎ行目の走査信号線に対して走査信号Ｖscan(n)を印加し、信号Ｓｄ(n+1)に基づいて、（ｎ＋１）行目の走査信号線に対してＶscan(n+1)を印加するとともに、ｎ行目および（ｎ＋１）行目の駆動電極ＣＯＭＬ(n)，ＣＯＭＬ(n+1)の両方に対して、駆動信号Ｖcom(n)，Ｖcom(n+1)として表示駆動信号Ｖcomdを印加するようになっている。また、駆動部５３(n)は、タッチ検出走査部５２から供給された信号Ｓｔ(m)に基づいて、ｎ行目および（ｎ＋１）行目の駆動電極ＣＯＭＬ(n)，ＣＯＭＬ(n+1)の両方に対して、駆動信号Ｖcom(n) ，Ｖcom(n+1)としてタッチ検出駆動信号Ｖcomtを印加するようになっている。
【００４６】
駆動部５３は、２つのゲートバッファ５６と、論理和回路５７と、表示優先回路５４と、駆動信号バッファ５５とを備えている。
【００４７】
２つのゲートバッファ５６は、表示走査部５１から供給された２つの信号（例えばＳｄ(n)，Ｓｄ(n+1)）に基づいて、対応する走査信号線ＧＣＬ（例えば走査信号線ＧＣＬ(n)，ＧＣＬ(n+1)）に走査信号Ｖscanをそれぞれ印加する回路である。具体的には、ゲートバッファ５６は、信号Ｓｄを、液晶表示デバイス２０のＴＦＴ素子Ｔｒをオンオフ制御することができる振幅レベルに増幅する機能を有している。
【００４８】
論理和回路５７は、表示走査部５１から供給された２つの信号（例えばＳｄ(n)，Ｓｄ(n+1)）の論理和（ＯＲ）を生成して出力するものである。
【００４９】
表示優先回路５４は、論理和回路５７の出力信号およびタッチ検出走査部５２から供給された信号Ｓｔに基づいて、駆動電極ＣＯＭＬに対する駆動信号Ｖcomの印加を制御する機能を有している。
【００５０】
駆動信号バッファ５５は、表示優先回路５４から供給された信号に基づいて、駆動電極ＣＯＭＬに駆動信号Ｖcomを印加する回路である。具体的には、駆動信号バッファ５５は、表示優先回路５４から供給された信号に基づいて、駆動電極ＣＯＭＬに対して、表示駆動信号Ｖcomd、タッチ検出駆動信号Ｖcomt、直流駆動信号Ｖcomdcのうちのいずれか一つを印加するようになっている。この駆動信号バッファ５５は、図８に示したように、２本の駆動電極ＣＯＭＬに対して同時に駆動信号Ｖcomを供給するようになっている。
【００５１】
この構成により、駆動部５３(n)では、表示走査部５１から供給される信号Ｓｄ(n)，Ｓｄ(n+1)のうちの少なくともどちらか一方が高レベルの場合には、表示優先回路５４が表示駆動の指示と解釈して、駆動信号バッファ５５が駆動電極ＣＯＭＬ(n)，ＣＯＭＬ(n+1)の両方に表示駆動信号Ｖcomdを印加し、タッチ検出走査部５２から供給される信号Ｓｔ(m)が高レベルの場合には、表示優先回路５４がタッチ検出駆動の指示と解釈して、駆動信号バッファ５５が駆動電極ＣＯＭＬ(n)，ＣＯＭＬ(n+1)の両方にタッチ検出駆動信号Ｖcomtを印加する。また、表示走査部５１から供給される信号Ｓｄ(n)，Ｓｄ(n+1)のうちの少なくともどちらか一方が高レベルであるとともに、タッチ検出走査部５２から供給される信号Ｓｔ(m)が高レベルの場合には、駆動信号バッファ５５は、駆動電極ＣＯＭＬ(n)，ＣＯＭＬ(n+1)の両方に表示駆動信号Ｖcomdを印加する。つまり、表示優先回路５４は、表示駆動とタッチ検出駆動の両方の指示を受けた場合には、表示駆動の指示を優先するようになっている。また、表示走査部５１から供給される信号Ｓｄ(n)，Ｓｄ(n+1)の両方が低レベルであるとともに、タッチ検出走査部５２から供給される信号Ｓｔ(m)が低レベルの場合には、表示優先回路５４は表示駆動の指示でもタッチ検出駆動の指示でもないと解釈し、駆動信号バッファ５５は駆動電極ＣＯＭＬ(n)，ＣＯＭＬ(n+1)の両方に直流駆動信号Ｖcomdcを印加する。
【００５２】
このように、駆動部５３(n)は、駆動電極ＣＯＭＬ(n)，ＣＯＭＬ(n+1)の両方に対して、表示駆動においては表示駆動信号Ｖcomdを印加し、タッチ検出駆動においてはタッチ検出駆動信号Ｖcomtを印加する。すなわち、駆動部５３０は、駆動電極ＣＯＭＬを２本単位で駆動するようになっている。そして、タッチ検出走査部５２のシフトレジスタの長さは、駆動電極ＣＯＭＬを２本単位で選択することに対応して、表示走査部５１のものと比べて半分程度になっている。
【００５３】
ここで、駆動電極ＣＯＭＬは、本発明における「共通駆動電極」の一具体例に対応する。液晶素子ＬＣは、本発明における「表示素子」の一具体例に対応する。
【００５４】
［動作および作用］
続いて、上述のタッチ検出機能付き表示装置１の動作および作用について説明する。
【００５５】
（全体動作概要）
まず、図４を参照して、タッチ検出機能付き表示装置１の全体動作概要を説明する。制御部１１は、外部より供給された映像信号Ｖdispに基づいて、ゲートドライバ１２、ソースドライバ１３、駆動電極ドライバ１４、およびタッチ検出部４０に対してそれぞれ制御信号を供給し、これらがお互いに同期して動作するように制御する。ゲートドライバ１２は、液晶表示デバイス２０に走査信号Ｖscanを供給し、表示駆動の対象となる１水平ラインを順次選択する。ソースドライバ１３は、ゲートドライバ１２により選択された、１水平ラインを構成する各画素Ｐixに、画素信号Ｖpixを供給する。駆動電極ドライバ１４は、駆動電極ＣＯＭＬを２本単位で駆動するものであり、表示動作では、表示駆動の対象となる１水平ラインに係る駆動電極ＣＯＭＬに表示駆動信号Ｖcomdを順次印加し、タッチ検出動作では、タッチ検出動作に係る駆動電極ＣＯＭＬに対してタッチ検出駆動信号Ｖcomtを順次印加する。タッチ検出機能付き表示デバイス１０は、ゲートドライバ１２、ソースドライバ１３、および駆動電極ドライバ１４により供給された信号に基づいて表示動作を行うとともに、駆動電極ドライバ１４により供給されたタッチ検出駆動信号Ｖcomtに基づいてタッチ検出動作を行い、タッチ検出電極ＴＤＬからタッチ検出信号Ｖdetを出力する。アナログＬＰＦ部４２は、タッチ検出信号Ｖdetの高い周波数成分を除去して出力する。Ａ／Ｄ変換部４３は、アナログＬＰＦ部４２から出力されるアナログ信号をデジタル信号に変換する。信号処理部４４は、Ａ／Ｄ変換部４３の出力信号に基づいて、タッチ検出機能付き表示デバイス１０に対するタッチの有無を検出する。座標抽出部４５は、信号処理部４４においてタッチ検出がなされたときに、そのタッチパネル座標を求める。検出タイミング制御部４６は、アナログＬＰＦ部４２、Ａ／Ｄ変換部４３、信号処理部４４、座標抽出部４５が同期して動作するように制御する。
【００５６】
以下に、タッチ検出機能付き表示装置１の詳細動作を説明する。
【００５７】
（表示動作およびタッチ検出動作）
タッチ検出機能付き表示装置１では、表示動作においては、ゲートドライバ１２が、走査信号線ＧＣＬに対して走査信号Ｖscanを印加し、駆動電極ドライバ１４が、その走査信号線ＧＣＬに対応する駆動電極ＣＯＭＬに対して、２本単位で表示駆動信号Ｖcomdを順次印加することにより表示走査を行う。そして各１水平期間（１Ｈ）では、走査信号Ｖscanおよび表示駆動信号Ｖcomdが印加された１水平ラインに対してソースドライバ１３が画素信号Ｖpixを供給することにより、その１水平ラインの表示が行われる。また、タッチ検出動作においては、駆動電極ドライバ１４が、例えば１０本の駆動電極ＣＯＭＬに対してタッチ検出駆動信号Ｖcomtを印加し、そのタッチ検出駆動信号Ｖcomtを印加する駆動電極ＣＯＭＬを、例えば１水平期間ごとに２本ずつシフトすることにより、タッチ検出走査を行う。各１水平期間（１Ｈ）では、タッチ検出部４０が、タッチ検出信号Ｖdetに基づいてタッチを検出する。
【００５８】
図９は、走査駆動部５０の表示駆動動作の一例を表すものである。図９に示したように、走査駆動部５０は、２本単位で駆動電極ＣＯＭＬを駆動する。具体的には、走査駆動部５０は、２本の駆動電極ＣＯＭＬ（例えばｎ行目および（ｎ＋１）行目の駆動電極ＣＯＭＬ(n)，ＣＯＭＬ(n+1)）に対して表示駆動信号Ｖcomd（例えば駆動信号Ｖcom(n），Ｖcom(n+1)）を印加する。そして、まず、走査駆動部５０は、最初の１水平期間（１Ｈ）において、駆動電極ＣＯＭＬ(n)に対応する走査信号線ＧＣＬ（ｎ行目の走査信号線ＧＣＬ(n)）に対して走査信号Ｖscanを印加し、その水平ラインの画素Ｐixに対してソースドライバ１３が画素信号Ｖpixを印加する。図９において、斜線部は、画素信号Ｖpixが印加された１水平ラインに対応する表示駆動信号Ｖcomdの部分を示している。次に、走査駆動部５０は、表示駆動信号Ｖcomdを反転し、駆動電極ＣＯＭＬ(n+1)に対応する走査信号線ＧＣＬ（（ｎ＋１）行目の走査信号線ＧＣＬ(n+1)）に対して走査信号Ｖscanを印加し、その水平ラインの画素Ｐixに対してソースドライバ１３が画素信号Ｖpixを印加する。
【００５９】
この図９は、走査駆動部５０の表示駆動動作を表すものであるが、タッチ検出駆動動作もこれと同様に行われる。すなわち、走査駆動部５０は、例えば１０本の隣接する駆動電極ＣＯＭＬに対してタッチ検出駆動信号Ｖcomtを印加する。そして、走査駆動部５０は、そのタッチ検出駆動信号Ｖcomtを印加する駆動電極ＣＯＭＬを、例えば１水平期間ごとに２本ずつシフトすることにより、タッチ検出走査を行う。
【００６０】
走査駆動部５０は、表示走査部５１およびタッチ検出走査部５２を、独立して個別に設けている。これにより、表示走査およびタッチ検出走査を独立して行うことが可能となる。
【００６１】
図１０は、表示走査およびタッチ検出走査を模式的に表すものである。この例では、タッチ検出走査は、表示走査の２倍の走査速度で行われる。タッチ検出機能付き表示装置１では、走査駆動部５０が、表示走査Ｓcandおよびタッチ検出走査Ｓcantを独立して行うことができ、表示動作のための表示駆動信号Ｖcomdおよびタッチ検出動作の為のタッチ検出駆動信号Ｖcomtを、駆動電極ＣＯＭＬに対してそれぞれ別々に印加することができる。これにより、タッチ検出走査Ｓcantの速度と表示走査Ｓcandの速度とを別々に設定することができる。例えば、図１０に示したように、タッチ検出の走査速度を表示走査よりも速くした場合には、外部近接物体によるタッチにすぐに応答することができ、タッチ検出に対する応答特性を改善することができる。
【００６２】
図１０に示した例では、表示走査Ｓcandは、タッチ検出走査の速度が表示走査の速度よりも早いため、タイミングＷ１において、タッチ検出走査Ｓcantにより追い越されることとなる。このとき、表示駆動の対象となる駆動電極ＣＯＭＬと、タッチ検出駆動の対象となる駆動電極ＣＯＭＬとは、重なるようになる。このとき、走査駆動部５０は、表示駆動を優先するように動作し、駆動電極ＣＯＭＬに対して表示駆動信号Ｖcomdを印加する。つまり、この追い越し状態において、画素信号Ｖpixを印加している水平ラインに係る駆動電極ＣＯＭＬにタッチ検出駆動信号Ｖcomtが印加されることがない。これにより、追い越しに起因する表示の乱れを抑えることができる。
【００６３】
（比較例）
次に、本実施の形態の比較例に係る走査駆動部５０Ｒについて説明する。本比較例は、駆動電極ＣＯＭＬを１本単位で駆動するものである。
【００６４】
図１１は、走査駆動部５０の一構成例を表すものである。走査駆動部５０は、タッチ検出走査部５２Ｒおよび駆動部５３０Ｒを有している。駆動部５３０Ｒは、Ｎ個の駆動部５３Ｒ(１)〜５３Ｒ(Ｎ)から構成されている。
【００６５】
タッチ検出走査部５２Ｒは、タッチ検出駆動信号Ｖcomtを順次印加する駆動電極ＣＯＭＬを１本単位で選択する信号Ｓｔを生成するものである。タッチ検出走査部５２Ｒのシフトレジスタの長さは、駆動電極ＣＯＭＬを１本単位で選択することに対応して、表示走査部５１のものと同等になっている。
【００６６】
駆動部５３０Ｒは、表示走査部５１から供給された信号Ｓｄおよびタッチ検出走査部５２Ｒから供給された信号Ｓｔに基づいて、走査信号Ｖscanを走査信号線ＧＣＬに印加するとともに、駆動信号Ｖcomを駆動電極ＣＯＭＬに印加するものである。駆動部５３Ｒの駆動信号バッファ５５は、図１１に示したように、１本の駆動電極ＣＯＭＬに対して駆動信号Ｖcomを供給するようになっている。
【００６７】
この構成により、本比較例に係る走査駆動部５０Ｒは、表示駆動およびタッチ検出駆動を行う際、駆動電極ＣＯＭＬを１本単位で駆動する。
【００６８】
本比較例では、タッチ検出走査部５２Ｒのシフトレジスタの長さが、表示走査部５１のものとほぼ同等になっている。また、駆動部５３Ｒの表示優先回路５４および駆動信号バッファ５５は、１本の駆動電極ＣＯＭＬに対して１つずつ設けられている。
【００６９】
一方、本実施の形態に係るタッチ検出機能付き表示装置１では、タッチ検出走査部５２のシフトレジスタの長さが、表示走査部５１のものに比べて半分程度になっている。また、駆動部５３の表示優先回路５４および駆動信号バッファ５５は、２本の駆動電極ＣＯＭＬに対して１つずつ設けられている。すなわち、本実施の形態に係るタッチ検出走査部５２および駆動部５３０の回路規模は、本比較例に係るタッチ検出走査部５２Ｒおよび駆動部５３０Ｒの回路規模の半分程度となる。このように、駆動電極ＣＯＭＬを複数本単位で駆動することにより、回路規模を削減することができ、回路の占有面積を低減することにより、装置の小型化を実現することができる。また、タッチ検出走査部５２のシフトレジスタの長さを短くすることができるため、シフトレジスタのクロック周波数を下げることができ、消費電力を低減することができる。
【００７０】
［効果］
以上のように本実施の形態では、駆動電極ＣＯＭＬを複数本単位で駆動するようにしたので、回路規模を削減することができ、装置の小型化を実現することができる。
【００７１】
また、本実施の形態では、駆動電極ＣＯＭＬを複数本単位で駆動することにより、シフトレジスタの長さを短くすることができるので、シフトレジスタのクロック周波数を下げることができ、消費電力を低減することができる。
【００７２】
また、本実施の形態では、画素信号Ｖpixを印加している水平ラインに係る駆動電極ＣＯＭＬに常に表示駆動信号Ｖcomdを印加するようにしたので、追い越し走査に起因する表示の乱れを抑えることができる。
【００７３】
また、本実施の形態では、表示走査とタッチ検出走査を独立して行うことができるようにしたので、タッチ検出走査の走査速度を表示走査の走査速度よりも速くすることができ、タッチ検出の応答性能を改善することができる。
【００７４】
［変形例１］
上記実施の形態では、走査駆動部５０が、駆動電極ＣＯＭＬを２本単位で駆動したが、これに限定されるものではない。以下に、４本単位で駆動する場合の一例について詳細に説明する。
【００７５】
図１２は、本変形例に係る走査駆動部５０Ｂの一構成例を表すものである。走査駆動部５０Ｂは、タッチ検出走査部５２Ｂと、駆動部５３０Ｂとを備えている。駆動部５３０Ｂは、Ｎ／４個の駆動部５３Ｂ(１)〜５３Ｂ(Ｎ／４)から構成されている。
【００７６】
タッチ検出走査部５２Ｂは、タッチ検出駆動信号Ｖcomtを順次印加する駆動電極ＣＯＭＬを４本単位で選択する信号Ｓｔを生成するものである。タッチ検出走査部５２Ｂのシフトレジスタの長さは、駆動電極ＣＯＭＬを４本単位で選択することに対応して、表示走査部５１のものと比べて１／４程度になっている。
【００７７】
駆動部５３０Ｂは、表示走査部５１から供給された４つの信号Ｓｄおよびタッチ検出走査部５２Ｂから供給された信号Ｓｔに基づいて、走査信号Ｖscanを走査信号線ＧＣＬに印加するとともに、駆動信号Ｖcomを４本の駆動電極ＣＯＭＬに印加するものである。駆動部５３Ｂは、４つのゲートバッファ５６と、論理和回路５８とを備えている。４つのゲートバッファ５６は、表示走査部５１から供給された４つの信号（例えばＳｄ(n)〜Ｓｄ(n+3)）に基づいて、対応する走査信号線ＧＣＬ（例えば走査信号線ＧＣＬ(n)〜ＧＣＬ(n+3)）に走査信号Ｖscanをそれぞれ印加する回路である。論理和回路５８は、表示走査部５１から供給された４つの信号（例えばＳｄ(n)〜Ｓｄ(n+3)）の論理和（ＯＲ）を生成して出力するものである。駆動部５３Ｂの駆動信号バッファ５５は、図１２に示したように、４本の駆動電極ＣＯＭＬに対して同時に駆動信号Ｖcomを供給するようになっている。
【００７８】
図１３は、走査駆動部５０Ｂの表示駆動動作の一例を表すものである。図１３に示したように、走査駆動部５０は、４本単位で駆動電極ＣＯＭＬを駆動する。具体的には、走査駆動部５０は、４本の隣接する駆動電極ＣＯＭＬ（例えばｎ行目〜（ｎ＋３）行目の駆動電極ＣＯＭＬ(n)〜ＣＯＭＬ(n+3)）に対して表示駆動信号Ｖcomd（例えば駆動信号Ｖcom(n）〜Ｖcom(n+3)）を印加し、これらの駆動電極ＣＯＭＬに対応する走査信号線（例えば走査信号線ＧＣＬ(n)〜ＧＣＬ(n+3)）に走査信号Ｖscanを順次印加し、その水平ラインの画素Ｐixに対してソースドライバ１３が画素信号Ｖpixを印加する。
【００７９】
本変形例に係るタッチ検出走査部５２Ｂおよび駆動部５３０Ｂの回路規模は、上記比較例に係るタッチ検出走査部５２Ｒおよび駆動部５３０Ｒの回路規模の１／４程度になる。このように、同時に駆動する駆動電極ＣＯＭＬの本数を増やすことにより、さらなる装置の小型化や消費電力の低減を実現することができる。
【００８０】
＜３．第２の実施の形態＞
次に、本発明の第２の実施の形態に係るタッチ検出機能付き表示装置７について説明する。タッチ検出機能付き表示装置７は、駆動電極ＣＯＭＬを２本単位で駆動するとともに、ソースドライバ１３が画素信号Ｖpixを印加している水平ラインに係る駆動電極ＣＯＭＬとそれに隣接する駆動電極ＣＯＭＬに対して、表示駆動信号Ｖcomdを印加するものである。タッチ検出機能付き表示装置７は、駆動電極ＣＯＭＬに対してこのような駆動を行う駆動電極ドライバ１６を有する走査駆動部７０を用いて構成されたものである。その他の構成は、上記第１の実施の形態（図１）と同様である。なお、上記第１の実施の形態に係るタッチ検出機能付き表示装置１と実質的に同一の構成部分には同一の符号を付し、適宜説明を省略する。
【００８１】
図１４は、走査駆動部７０の一構成例を表すものである。走査駆動部７０は、ゲートドライバ１３および駆動電極ドライバ１６の機能を実現するものである。走査駆動部７０は、駆動部７３０を備えている。駆動部７３０は、Ｎ／２個の駆動部７３(１)〜７３(Ｎ／２)から構成されている。駆動部７３は、表示優先回路７４を有している。
【００８２】
駆動部７３(n)では、表示走査部５１から供給される信号Ｓｄ(n-1)〜Ｓｄ(n+2)のうちの少なくとも１つが高レベルの場合には、表示優先回路７４が表示駆動の指示と解釈して、駆動信号バッファ５５が駆動電極ＣＯＭＬ(n)，ＣＯＭＬ(n+1)の両方に表示駆動信号Ｖcomdを印加し、タッチ検出走査部５２から供給される信号Ｓｔ(n)が高レベルの場合には、表示優先回路７４がタッチ検出駆動の指示と解釈して、駆動信号バッファ５５が駆動電極ＣＯＭＬ(n)，ＣＯＭＬ(n+1)の両方にタッチ検出駆動信号Ｖcomtを印加する。また、表示走査部５１から供給される信号Ｓｄ(n-1)〜Ｓｄ(n+2)のうちの少なくとも１つが高レベルであるとともに、タッチ検出走査部５２から供給される信号Ｓｔ(n)が高レベルの場合には、駆動信号バッファ５５は、駆動電極ＣＯＭＬ(n)，ＣＯＭＬ(n+1)の両方に表示駆動信号Ｖcomdを印加する。つまり、表示優先回路７４は、表示駆動とタッチ検出駆動の両方の指示を受けた場合には、表示駆動の指示を優先するようになっている。また、表示走査部５１から供給される信号Ｓｄ(n-1)〜Ｓｄ(n+2)の全てが低レベルであるとともに、タッチ検出走査部５２から供給される信号Ｓｔ(n)が低レベルの場合には、表示優先回路７４は表示駆動の指示でもタッチ検出駆動の指示でもないと解釈し、駆動信号バッファ５５は駆動電極ＣＯＭＬ(n)，ＣＯＭＬ(n+1)の両方に直流駆動信号Ｖcomdcを印加する。
【００８３】
図１５は、走査駆動部７０の表示駆動動作の一例を表すものである。図１５に示したように、走査駆動部７０は、駆動電極ＣＯＭＬを２本単位で駆動し、常に４本の駆動電極ＣＯＭＬに対して表示駆動信号Ｖcomdを印加する。そして、走査駆動部７０は、表示駆動信号Ｖcomdが印加された駆動電極ＣＯＭＬに対応する走査信号線ＧＣＬに対して走査信号Ｖscanを順次印加し、その水平ラインの画素Ｐixに対してソースドライバ１３が画素信号Ｖpixを印加する。その際、走査駆動部７０は、画素信号Ｖpixを印加している水平ラインに係る駆動電極ＣＯＭＬに加え、これに隣接する駆動電極ＣＯＭＬに対しても表示駆動信号Ｖcomdを印加するように駆動を行う。すなわち、走査駆動部７０は、駆動電極ＣＯＭＬを２本単位で駆動する際、画素信号Ｖpixを印加している水平ラインに係る駆動電極ＣＯＭＬ（斜線部）と、隣接する駆動電極ＣＯＭＬとを含む４本の駆動電極ＣＯＭＬに対して表示駆動信号Ｖcomdを印加する。
【００８４】
本実施の形態に係るタッチ検出機能付き表示装置７では、画素信号Ｖpixを印加している水平ラインに係る駆動電極ＣＯＭＬおよびそれに隣接する駆動電極ＣＯＭＬに表示駆動信号Ｖcomdを印加することにより、隣接する駆動電極ＣＯＭＬに起因する表示の乱れを抑えることができる。以下に、いくつかの図を用いてこの効果を説明する。なお、説明の便宜上、駆動電極ＣＯＭＬを１本単位で駆動する場合を例に説明を行うこととする。
【００８５】
図１６は、走査駆動部７０Ｓの一構成例を表すものである。走査駆動部７０Ｓは、駆動電極ＣＯＭＬを１本単位で駆動するものである。走査駆動部７０Ｓは、駆動部７３０Ｓを備えている。駆動部７３０Ｓは、Ｎ個の駆動部７３Ｓ(１)〜７３Ｓ(Ｎ)から構成されている。
【００８６】
駆動部７３Ｓ(n)では、表示走査部５１から供給される信号Ｓｄ(n-1)〜Ｓｄ(n+1)のうちの少なくとも１つが高レベルの場合には、表示優先回路７４が表示駆動の指示と解釈して、駆動信号バッファ５５が駆動電極ＣＯＭＬ(n)，ＣＯＭＬ(n+1)の両方に表示駆動信号Ｖcomdを印加し、タッチ検出走査部５２から供給される信号Ｓｔ(n)が高レベルの場合には、表示優先回路７４がタッチ検出駆動の指示と解釈して、駆動信号バッファ５５が駆動電極ＣＯＭＬ(n)，ＣＯＭＬ(n+1)の両方にタッチ検出駆動信号Ｖcomtを印加する。また、表示走査部５１から供給される信号Ｓｄ(n-1)〜Ｓｄ(n+1)のうちの少なくとも１つが高レベルであるとともに、タッチ検出走査部５２から供給される信号Ｓｔ(n)が高レベルの場合には、駆動信号バッファ５５は、駆動電極ＣＯＭＬ(n)，ＣＯＭＬ(n+1)の両方に表示駆動信号Ｖcomdを印加する。つまり、表示優先回路７４は、表示駆動とタッチ検出駆動の両方の指示を受けた場合には、表示駆動の指示を優先するようになっている。また、表示走査部５１から供給される信号Ｓｄ(n-1)〜Ｓｄ(n+1)の全てが低レベルであるとともに、タッチ検出走査部５２から供給される信号Ｓｔ(n)が低レベルの場合には、表示優先回路７４は表示駆動の指示でもタッチ検出駆動の指示でもないと解釈し、駆動信号バッファ５５は駆動電極ＣＯＭＬ(n)，ＣＯＭＬ(n+1)の両方に直流駆動信号Ｖcomdcを印加する。
【００８７】
駆動部７３Ｓ(n)は、表示駆動において、信号Ｓｄ(n-1)〜Ｓｄ(n+1)のうちの１つが高レベルの場合に、駆動電極ＣＯＭＬ(n)に表示駆動信号Ｖcomdを印加する。つまり、（ｎ−１）行目から（ｎ＋１）行目の走査信号線ＧＣＬ(n-1)〜ＧＣＬ(n+1)のうちの１本に対して走査信号Ｖscanが印加されて、画素信号Ｖpixを印加する水平ラインが選択されたときには、駆動部７３Ｓ(n)は、ｎ行目の駆動電極ＣＯＭＬ(n)に表示駆動信号Ｖcomdを印加するようになっている。言い換えれば、駆動部７３０Ｓは、画素信号Ｖpixを印加する水平ラインに係る駆動電極ＣＯＭＬおよびそれに隣接する駆動電極ＣＯＭＬに対して表示駆動信号Ｖcomdを印加する。
【００８８】
図１７は、走査駆動部７０Ｓの表示駆動動作の一例を表すものである。図１７に示したように、走査駆動部７０Ｓは、３本の隣接する駆動電極ＣＯＭＬ（例えば（ｎ−１）行目から（ｎ＋１）行目の駆動電極ＣＯＭＬ(n-1)〜ＣＯＭＬ(n+1)）に対して表示駆動信号Ｖcomd（例えば駆動信号Ｖcom(n-1）〜Ｖcom(n+1)）を印加する。そして、走査駆動部７０Ｓは、その３つの隣接する駆動電極ＣＯＭＬのうちの中央に位置する駆動電極ＣＯＭＬ（例えばｎ行目の駆動電極ＣＯＭＬ(n)）に対応する走査信号線ＧＣＬ（例えばｎ行目の走査信号線ＧＣＬ(n)）に対して走査信号Ｖscanを印加し、その水平ラインの画素Ｐixに対してソースドライバ１３が画素信号Ｖpixを印加する。言い換えれば、走査駆動部７０Ｓは、ソースドライバ１３が画素信号Ｖpixを印加している水平ラインに係る駆動電極ＣＯＭＬに加え、それに隣接する駆動電極ＣＯＭＬに対して、表示駆動信号Ｖcomdを印加する。
【００８９】
この場合において、図１０に示したように、表示走査Ｓcandがタッチ検出走査Ｓcantにより追い越される場合を考える。このとき、表示駆動の対象となる駆動電極ＣＯＭＬと、タッチ検出駆動の対象となる駆動電極ＣＯＭＬとが、重なるようになる。このときでも、走査駆動部７０Ｓは、表示駆動を優先するように動作し、図１７に示したように、３本の隣接する駆動電極ＣＯＭＬに表示駆動信号Ｖcomdを印加する。つまり、この追い越し状態においても、走査駆動部７０Ｓは、ソースドライバ１３が画素信号Ｖpixを印加している水平ラインに係る駆動電極ＣＯＭＬと、それに隣接する駆動電極ＣＯＭＬに対して、表示駆動信号Ｖcomdを印加する。
【００９０】
図１８は、液晶表示デバイス２０における寄生容量を表すものである。図１８に示したように、液晶素子ＬＣの両端子には、隣接する駆動電極ＣＯＭＬとの間に寄生容量Ｃｐ１〜Ｃｐ４が等価的に接続されている。寄生容量Ｃｐ１，Ｃｐ２は、着目した液晶素子ＬＣに隣接する駆動電極ＣＯＭＬとその液晶素子ＬＣの一方の端子（図５における画素電極２２）との間に存在する容量である。寄生容量Ｃｐ３，Ｃｐ４は、着目した液晶素子ＬＣに隣接する駆動電極ＣＯＭＬとその液晶素子ＬＣの他方の端子（共通電極ＣＯＭＬ）との間に存在する容量である。このように、液晶素子ＬＣと、隣接する駆動電極ＣＯＭＬとの間に寄生容量Ｃｐ１〜Ｃｐ４が存在する。
【００９１】
例えば、ソースドライバ１３が画素信号Ｖpixを印加している水平ラインに係る駆動電極ＣＯＭＬに隣接する駆動電極ＣＯＭＬに、表示駆動信号Ｖcomdが印加されていない場合には、その隣接する駆動電極ＣＯＭＬには、追い越し状態でない場合には直流駆動信号Ｖcomdcが印加され、追い越し状態ではタッチ検出駆動信号Ｖcomtが印加される。したがって、これらの信号が寄生容量Ｃｐ１〜Ｃｐ４を介して液晶素子ＬＣに伝わることにより、その液晶素子ＬＣに係る表示が乱れるおそれがある。すなわち、例えば、追い越し状態において、この隣接する駆動電極ＣＯＭＬに印加されたタッチ検出駆動信号Ｖcomtが寄生容量を介して液晶素子ＬＣに伝わることにより、その水平ラインの表示は、追い越し状態でない場合と比べて異なったものになるおそれがある。具体的には、追い越し状態において画素信号Ｖpixが印加された水平ラインが“すじ”のように見えるおそれがある。
【００９２】
一方、走査駆動部７０Ｓでは、ソースドライバ１３が画素信号Ｖpixを印加している水平ラインに係る駆動電極ＣＯＭＬに隣接する駆動電極ＣＯＭＬには、追い越し状態であるか否かにかかわらず、常に表示駆動信号Ｖcomdが印加される。よって、その水平ラインの表示は、追い越し状態であるか否かによって影響されることはないため、隣接する駆動電極ＣＯＭＬに起因する表示の乱れを最低限に抑えることができる。
【００９３】
以上、駆動電極ＣＯＭＬを１本単位で駆動する走査駆動部７０Ｓを用いて、隣接する駆動電極ＣＯＭＬに起因する表示の乱れの抑制方法を説明した。本実施の形態に係る走査駆動部７０も、まったく同様に、この表示の乱れを抑えることができる。すなわち、走査駆動部７０は、少なくとも、ソースドライバ１３が画素信号Ｖpixを印加している水平ラインに係る駆動電極ＣＯＭＬと、それに隣接する駆動電極ＣＯＭＬに対して、表示駆動信号Ｖcomdを印加する。これにより、図１０に示したように、表示走査Ｓcandがタッチ検出走査Ｓcantにより追い越される場合でも、ソースドライバ１３が画素信号Ｖpixを印加している水平ラインに係る駆動電極ＣＯＭＬに隣接する駆動電極ＣＯＭＬには、追い越し状態であるか否かにかかわらず、表示駆動信号Ｖcomdが印加される。よって、その水平ラインの表示は、追い越し状態であるか否かによって影響されることはないため、隣接する駆動電極ＣＯＭＬに起因する表示の乱れを最低限に抑えることができる。
【００９４】
以上のように本実施の形態では、画素信号Ｖpixを印加している水平ラインに係る駆動電極ＣＯＭＬと、それに隣接する駆動電極ＣＯＭＬに常に表示駆動信号Ｖcomdを印加するようにしたので、隣接する駆動電極ＣＯＭＬに起因する表示の乱れを抑えることができる。
【００９５】
＜４．第３の実施の形態＞
次に、本発明の第３の実施の形態に係るタッチ検出機能付き表示装置８について説明する。上記第２の実施の形態では、駆動電極ＣＯＭＬを２本単位で駆動したが、本実施の形態に係るタッチ検出機能付き表示装置は、３本以上の単位で駆動するものである。その一例として、ここでは駆動電極ＣＯＭＬを４本単位で駆動する場合について説明する。タッチ検出機能付き表示装置８は、駆動電極ＣＯＭＬに対してこのような駆動を行う駆動電極ドライバ１７を有する走査駆動部８０を用いて構成されたものである。その他の構成は、上記第１の実施の形態（図１）などと同様である。なお、上記第１の実施の形態に係るタッチ検出機能付き表示装置１などと実質的に同一の構成部分には同一の符号を付し、適宜説明を省略する。
【００９６】
図１９は、本実施の形態に係る走査駆動部８０の一構成例を表すものである。走査駆動部８０は、駆動部８３０とを備えている。駆動部８３０は、Ｎ／４個の駆動部８３(１)〜８３(Ｎ／４)から構成されている。
【００９７】
駆動部８３(n)では、表示走査部５１から供給される信号Ｓｄ(n-1)〜Ｓｄ(n+4)のうちの少なくとも１つが高レベルの場合には、表示優先回路７４が表示駆動の指示と解釈して、駆動信号バッファ５５が駆動電極ＣＯＭＬ(n)，ＣＯＭＬ(n+1)の両方に表示駆動信号Ｖcomdを印加し、タッチ検出走査部５２Ｂから供給される信号Ｓｔ(n)が高レベルの場合には、表示優先回路７４がタッチ検出駆動の指示と解釈して、駆動信号バッファ５５が駆動電極ＣＯＭＬ(n)，ＣＯＭＬ(n+1)の両方にタッチ検出駆動信号Ｖcomtを印加する。表示走査部５１から供給される信号Ｓｄ(n-1)〜Ｓｄ(n+4)のうちの少なくとも１つが高レベルであるとともに、タッチ検出走査部５２Ｂから供給される信号Ｓｔ(n)が高レベルの場合には、駆動信号バッファ５５は、駆動電極ＣＯＭＬ(n)，ＣＯＭＬ(n+1)の両方に表示駆動信号Ｖcomdを印加する。つまり、表示優先回路７４は、表示駆動とタッチ検出駆動の両方の指示を受けた場合には、表示駆動の指示を優先するようになっている。また、表示走査部５１から供給される信号Ｓｄ(n-1)〜Ｓｄ(n+4)の全てが低レベルであるとともに、タッチ検出走査部５２Ｂから供給される信号Ｓｔ(n)が低レベルの場合には、表示優先回路７４は、表示駆動の指示でもタッチ検出駆動の指示でもないと解釈し、駆動信号バッファ５５は駆動電極ＣＯＭＬ(n)，ＣＯＭＬ(n+1)の両方に直流駆動信号Ｖcomdcを印加する。
【００９８】
図２０は、走査駆動部８０の表示駆動動作の一例を表すものである。図２０に示したように、走査駆動部８０は、駆動電極ＣＯＭＬを４本単位で駆動し、表示駆動信号Ｖcomdを印加する。そして、走査駆動部８０は、表示駆動信号Ｖcomdが印加された駆動電極ＣＯＭＬに対応する走査信号線ＧＣＬに対して走査信号Ｖscanを順次印加し、その水平ラインの画素Ｐixに対してソースドライバ１３が画素信号Ｖpixを印加する。その際、走査駆動部８０は、画素信号Ｖpixを印加している水平ラインに係る駆動電極ＣＯＭＬ（斜線部）に隣接する駆動電極ＣＯＭＬに対しても表示駆動信号Ｖcomdを印加するように駆動を行う。すなわち、走査駆動部８０は、駆動電極ＣＯＭＬを４本単位で駆動する際、その４本のうちの両端以外の２本に係る水平ラインに対してソースドライバ１３が画素信号Ｖpixを印加する場合には、その４本の駆動電極ＣＯＭＬに対して表示駆動信号Ｖcomdを印加する。一方、走査駆動部８０は、４本のうちの両端の２本に係る水平ラインに対してソースドライバ１３が画素信号Ｖpixを印加する場合には、隣接する４本と合わせて８本の駆動電極ＣＯＭＬに対して表示駆動信号Ｖcomdを印加する。
【００９９】
本実施の形態に係るタッチ検出機能付き表示装置８では、駆動電極ＣＯＭＬを４本単位で駆動する場合において、画素信号Ｖpixを印加している水平ラインに係る駆動電極ＣＯＭＬおよびそれに隣接する駆動電極ＣＯＭＬに表示駆動信号Ｖcomdを印加することにより、４本の駆動電極ＣＯＭＬとその水平ラインとの相対的な位置関係に起因する表示の乱れを最低限に抑えることができる。以下に、上記第１の実施の形態の変形例で説明した走査駆動部５０Ｂ（図１３）を参照して、その効果を説明する。
【０１００】
図１３に示したように、走査駆動部５０Ｂは、常に４本の駆動電極ＣＯＭＬにのみ表示駆動信号Ｖcomdを印加する。このとき、その４本の駆動電極ＣＯＭＬのうちの両端以外の２本に係る水平ラインに対してソースドライバ１３が画素信号Ｖpixを印加する場合には、走査駆動部５０Ｂは、波形Ｗ１１に示したように、画素信号Ｖpixを印加している水平ラインに係る駆動電極ＣＯＭＬ（斜線部）と、隣接する駆動電極ＣＯＭＬに対して、同じ表示駆動信号Ｖcomdを印加している。一方、４本の駆動電極ＣＯＭＬのうちの両端の２本に係る水平ラインに対してソースドライバ１３が画素信号Ｖpixを印加する場合には、走査駆動部５０Ｂは、波形Ｗ１２に示したように、画素信号Ｖpixを印加している水平ラインに係る駆動電極ＣＯＭＬ（斜線部）と、隣接する駆動電極ＣＯＭＬのうちの一方に対して、同じ表示駆動信号Ｖcomdを印加するとともに、隣接する駆動電極ＣＯＭＬのうちの他方に対して直流駆動信号Ｖcomdcを印加する。すなわち、走査駆動部５０Ｂが表示駆動信号Ｖcomdを印加する４本の駆動電極ＣＯＭＬと、ソースドライバ１３が画素信号Ｖpixを印加する水平ラインとの相対的な位置関係によって、その水平ラインに隣接する駆動電極ＣＯＭＬに印加される駆動信号Ｖcomが異なることとなる。この隣接する駆動電極ＣＯＭＬの信号が、図１８に示したように、寄生容量Ｃｐ１〜Ｃｐ４を介して液晶素子ＬＣに伝わる場合には、上述した相対的な位置関係に起因する駆動電極ＣＯＭＬの信号の違いが液晶素子ＬＣに伝わることにより、その液晶素子ＬＣに係る表示が乱れるおそれがある。
【０１０１】
このように、走査駆動部５０Ｂでは、寄生容量Ｃｐ１〜Ｃｐ４の影響が強い場合には、表示動作のみを考慮した場合でも（すなわち追い越し状態を考慮しない場合でも）、表示が乱れるおそれがある。さらに、上記第２の実施の形態において示したように、表示動作に加えてタッチ検出動作を考慮した場合、隣接する駆動電極ＣＯＭＬに起因する表示の乱れも生じるおそれがある。
【０１０２】
一方、本実施の形態では、上述した相対的な位置関係にかかわらず、ソースドライバ１３が画素信号Ｖpixを印加している水平ラインに係る駆動電極ＣＯＭＬおよび隣接する駆動電極ＣＯＭＬには、常に表示駆動信号Ｖcomdが印加される。よって、その水平ラインの表示は、表示動作のみを考慮した場合においても、その相対的な位置関係に影響されることはないため、表示の乱れを最低限に抑えることができる。
【０１０３】
さらに、タッチ検出動作を考慮しても、追い越し状態であるか否かにかかわらず、ソースドライバ１３が画素信号Ｖpixを印加している水平ラインに係る駆動電極ＣＯＭＬに隣接する駆動電極ＣＯＭＬには、常に表示駆動信号Ｖcomdが印加される。よって、上記第２の実施の形態と同様に、隣接する駆動電極ＣＯＭＬに起因する表示の乱れを最低限に抑えることができる。
【０１０４】
以上のように本実施の形態では、駆動電極ＣＯＭＬを４本単位で駆動した場合において、画素信号Ｖpixを印加している水平ラインに隣接する駆動電極ＣＯＭＬにも表示駆動信号Ｖcomdを印加するようにしたので、その４本の駆動電極ＣＯＭＬとその水平ラインとの相対的な位置関係に起因する表示の乱れを最低限に抑えることができる。その他の効果は、上記第１および第２の実施の形態の場合と同様である。
【０１０５】
＜５．適用例＞
次に、図２１〜図２５を参照して、上記実施の形態および変形例で説明したタッチ検出機能付き表示装置の適用例について説明する。上記実施の形態等のタッチ検出機能付き表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上記実施の形態等のタッチ検出機能付き表示装置は、外部から入力された映像信号あるいは内部で生成した映像信号を、画像あるいは映像として表示するあらゆる分野の電子機器に適用することが可能である。
【０１０６】
（適用例１）
図２１は、上記実施の形態等のタッチ検出機能付き表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係るタッチ検出機能付き表示装置により構成されている。
【０１０７】
（適用例２）
図２２は、上記実施の形態等のタッチ検出機能付き表示装置が適用されるデジタルカメラの外観を表すものである。このデジタルカメラは、例えば、フラッシュ用の発光部５２１、表示部５２２、メニュースイッチ５２３およびシャッターボタン５２４を有しており、その表示部５２２は、上記実施の形態等に係るタッチ検出機能付き表示装置により構成されている。
【０１０８】
（適用例３）
図２３は、上記実施の形態等のタッチ検出機能付き表示装置が適用されるノート型パーソナルコンピュータの外観を表すものである。このノート型パーソナルコンピュータは、例えば、本体５３１、文字等の入力操作のためのキーボード５３２および画像を表示する表示部５３３を有しており、その表示部５３３は、上記実施の形態等に係るタッチ検出機能付き表示装置により構成されている。
【０１０９】
（適用例４）
図２４は、上記実施の形態等のタッチ検出機能付き表示装置が適用されるビデオカメラの外観を表すものである。このビデオカメラは、例えば、本体部５４１、この本体部５４１の前方側面に設けられた被写体撮影用のレンズ５４２、撮影時のスタート／ストップスイッチ５４３および表示部５４４を有している。そして、その表示部５４４は、上記実施の形態等に係るタッチ検出機能付き表示装置により構成されている。
【０１１０】
（適用例５）
図２５は、上記実施の形態等のタッチ検出機能付き表示装置が適用される携帯電話機の外観を表すものである。この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０またはサブディスプレイ７５０は、上記実施の形態等に係るタッチ検出機能付き表示装置により構成されている。
【０１１１】
以上、いくつかの実施の形態および変形例、ならびに電子機器への適用例を挙げて本発明を説明したが、本発明はこれらの実施の形態等には限定されず、種々の変形が可能である。
【０１１２】
上記の各実施の形態等では、ＴＮやＶＡ、ＥＣＢ等の各種モードの液晶を用いた液晶表示デバイス２０とタッチ検出デバイス３０とを一体化してタッチ検出機能付き表示デバイス１０を構成したが、これに代えて、ＦＦＳ（フリンジフィールドスイッチング）やＩＰＳ（インプレーンスイッチング）等の横電界モードの液晶を用いた液晶表示デバイスとタッチ検出デバイスとを一体化しても良い。例えば、横電界モードの液晶を用いた場合には、タッチ検出機能付き表示デバイス９０を、図２６に示したように構成可能である。この図は、タッチ検出機能付き表示デバイス９０の要部断面構造の一例を表すものであり、画素基板２Ｂと対向基板３Ｂとの間に液晶層６Ｂを挟持された状態を示している。その他の各部の名称や機能等は図５の場合と同様なので、説明を省略する。この例では、図５の場合とは異なり、表示用とタッチ検出用の双方に兼用される駆動電極ＣＯＭＬは、ＴＦＴ基板２１の直ぐ上に形成され、画素基板２Ｂの一部を構成する。駆動電極ＣＯＭＬの上方には、絶縁層２３を介して画素電極２２が配置される。この場合、駆動電極ＣＯＭＬとタッチ検出電極ＴＤＬとの間の、液晶層６Ｂをも含むすべての誘電体が容量Ｃ１の形成に寄与する。
【０１１３】
上記の各実施の形態等では、タッチ検出走査を表示走査の２倍の速度で行うようにしたが、これに限定されるものではなく、追い越し走査をするものであれば、どのような速度であってもよい。例えば、図２７（Ａ）に示したように、タッチ検出走査を表示走査の３倍の速度で行ってもよいし、図２７（Ｂ）に示したように表示走査の４倍の速度でおこなってもよい。
【符号の説明】
【０１１４】
１，７，８…タッチ検出機能付き表示装置、２，２Ｂ…画素基板、３，３Ｂ…対向基板、６，６Ｂ…液晶層、１０…タッチ検出機能付き表示デバイス、１１…制御部、１２…ゲートドライバ、１３…ソースドライバ、１４，１６，１７…駆動電極ドライバ、２０…液晶表示デバイス、２１…ＴＦＴ基板、２２…画素電極、３０…タッチ検出デバイス、３１…ガラス基板、３２…カラーフィルタ、３５…偏光板、４０…タッチ検出部、４２…アナログＬＰＦ部、４３…Ａ／Ｄ変換部、４４…信号処理部、４５…座標抽出部、４６…検出タイミング制御部、５０，５０Ｂ，７０，７０Ｓ，８０…走査駆動部、５１…表示走査部、５２，５２Ｂ…タッチ検出走査部、５３，５３Ｂ，７３，７３Ｓ，８３，５３０，５３０Ｂ，７３０，７３０Ｓ，８３０…駆動部、５４，７４…表示優先回路、５５…駆動信号バッファ、５６…ゲートバッファ、５７，５８…論理和回路、ＣＯＭＬ…駆動電極、Ｃｐ１〜Ｃｐ４…寄生容量、ＧＣＬ…走査信号線、ＬＣ…液晶素子、Ｏut…出力信号、Ｐix…画素、Ｓcand…表示走査、Ｓcant…タッチ検出走査、ＳＧＬ…画素信号線、Ｓｄ，Ｓｔ…信号、ＴＤＬ…タッチ検出電極、Ｔｒ…ＴＦＴ素子、Ｖcom…駆動信号、Ｖcomd…表示駆動信号、Ｖcomt…タッチ検出駆動信号、Ｖcomdc…直流駆動信号、Ｖdet…タッチ検出信号、Ｖdisp…映像信号、Ｖpix…画素信号、Ｖscan…走査信号。
【図１】
0005670124.tif 000002
【図２】
0005670124.tif 000003
【図３】
0005670124.tif 000004
【図４】
0005670124.tif 000005
【図５】
0005670124.tif 000006
【図６】
0005670124.tif 000007
【図７】
0005670124.tif 000008
【図８】
0005670124.tif 000009
【図９】
0005670124.tif 000010
【図１０】
0005670124.tif 000011
【図１１】
0005670124.tif 000012
【図１２】
0005670124.tif 000013
【図１３】
0005670124.tif 000014
【図１４】
0005670124.tif 000015
【図１５】
0005670124.tif 000016
【図１６】
0005670124.tif 000017
【図１７】
0005670124.tif 000018
【図１８】
0005670124.tif 000019
【図１９】
0005670124.tif 000020
【図２０】
0005670124.tif 000021
【図２１】
0005670124.tif 000022
【図２２】
0005670124.tif 000023
【図２３】
0005670124.tif 000024
【図２４】
0005670124.tif 000025
【図２５】
0005670124.tif 000026
【図２６】
0005670124.tif 000027
【図２７】
0005670124.tif 000028